(57)【特許請求の範囲】
【請求項１】
車両（１）のエンジン（２０）に供給する冷却水の温度を調整する温度調整弁（４５）の診断装置（１０）であって、
前記エンジンから排出された冷却水である排出冷却水の温度を取得する水温取得部（１１）と、
前記排出冷却水の温度と閾値とを比較して前記温度調整弁を診断する診断部（１４１）と、
前記診断部による診断を保留する保留部（１５）と、
前記エンジンの暖機完了後の冷却水の受熱量を算出する受熱量算出部（１８）と、
前記エンジンの暖機完了後の冷却水の放熱量を算出する放熱量算出部（１９）と、を備え、
前記保留部は、前記放熱量算出部によって算出された放熱量が前記受熱量算出部によって算出された受熱量よりも大きい場合に、前記温度調整弁が正常であっても前記車両の運転条件によって前記排出冷却水の温度が前記閾値よりも低くなると推定し、前記診断部による診断を保留することを特徴とする診断装置。
【請求項２】
前記受熱量算出部は、前記エンジンの暖機完了後の予め定められた所定期間における冷却水の受熱量を算出し、
前記放熱量算出部は、前記所定期間における冷却水の放熱量を算出することを特徴とする請求項１に記載の診断装置。
【請求項３】
前記保留部は、前記所定期間の時間長に対する、該所定期間において前記放熱量算出部によって算出された放熱量が前記受熱量算出部によって算出された受熱量よりも大きい状態である時間長の比率が、予め定められた値よりも大きい場合に、前記診断部による診断を保留することを特徴とする請求項２に記載の診断装置。
【請求項４】
前記排出冷却水の温度が上昇したことに基づいて前記保留部による保留を解除させる保留解除部を備えることを特徴とする請求項３に記載の診断装置。
【請求項５】
前記診断部による診断が保留されている場合に、冷却水の受熱量の増加、及び冷却水の放熱量の減少の少なくとも一方を行う保留解除促進制御を実行する保留解除促進部（１７）を備えることを特徴とする請求項４に記載の診断装置。
【請求項６】
前記保留解除促進部は、前記車両の停車中に前記エンジンへの燃料供給を停止するアイドルストップ運転を禁止することによって、冷却水の受熱量を増加させることを特徴とする請求項５に記載の診断装置。
【請求項７】
前記保留解除促進部は、前記車両の停車中に前記エンジンの回転数を上昇させることによって、冷却水の受熱量を増加させることを特徴とする請求項５に記載の診断装置。
【請求項８】
前記保留解除促進部は、前記車両の走行中に前記エンジンへの燃料供給を停止する燃料カット運転を抑制することによって、冷却水の受熱量を増加させることを特徴とする請求項５に記載の診断装置。
【請求項９】
前記保留解除促進部は、前記車両の走行中に走行用のトルクを発生させて前記エンジンを補助する電動モータ（３０）の駆動を抑制することによって、冷却水の受熱量を増加させることを特徴とする請求項５に記載の診断装置。
【請求項１０】
前記保留解除促進部は、前記エンジンにおける燃料の点火時期を遅角させることによって、冷却水の受熱量を増加させることを特徴とする請求項５に記載の診断装置。
【請求項１１】
前記保留解除促進部は、冷却水を熱源として前記車両の車室内の暖房を行う暖房装置（６０）の運転を抑制することによって、冷却水の放熱量を減少させることを特徴とする請求項５に記載の診断装置。
【請求項１２】
前記診断部による診断が保留されている場合に前記温度調整弁の診断を行う副診断部（１４２）を備え、
前記副診断部は、前記保留解除促進部が前記保留解除促進制御を実行しても排出冷却水の温度が上昇しない場合に、前記温度調整弁に異常があると診断することを特徴とする請求項５に記載の診断装置。
【発明の詳細な説明】
【技術分野】
【０００１】
本発明は、車両のエンジンに供給する冷却水の温度を調整する温度調整弁の診断装置に関する。
【背景技術】
【０００２】
車両のエンジンは、その燃焼行程において発生する多量の燃焼熱によって高温になる。このため、車両には、エンジンを適温に維持する冷却装置が搭載される。このような冷却装置としては、循環流路によってエンジンに冷却水を供給するとともに、当該エンジンから排出された冷却水（排出冷却水）をラジエータによって冷却するものが一般的となっている。
【０００３】
一方、エンジンの始動時においては、エンジンの燃焼効率を高めるために適当な温度まで可及的速やかにエンジンを昇温させること（暖機）が要求される。暖機中は、排出冷却水をラジエータで冷却せずにエンジンに還流することで、エンジンの温度上昇を速めることが可能となる。このため、排出冷却水をラジエータに循環させる循環流路と、排出冷却水をラジエータに循環させずにエンジンに還流させるバイパス流路と、が設けられている。循環流路には、エンジンに供給する冷却水の温度を調整するためのサーモスタットが設けられている。サーモスタットは、ラジエータから冷却水の温度に応じて開閉動作することによって、エンジンに供給する冷却水の温度を調整する温度調整弁である。エンジンの暖機や冷却を適切に行うために、サーモスタットには高い信頼性が要求される。
【０００４】
下記特許文献１には、サーモスタットの診断を行う車両が記載されている。具体的には、当該車両が備える制御装置は、暖機中の冷却水の温度を実測するとともに、その実測温度と閾値との関係に基づいて、サーモスタットの異常の有無を診断する。そして、当該車両は、冷却水の実測温度が低下傾向を示している場合は、誤診断を生じるおそれがあるため、サーモスタットの診断を禁止している。
【先行技術文献】
【特許文献】
【０００５】
【特許文献１】特開２０１５−７８６５７号公報
【発明の概要】
【発明が解決しようとする課題】
【０００６】
サーモスタットの異常はエンジン冷却に大きな影響を及ぼすため、サーモスタットの診断は暖機完了後も行うことが好ましい。上記従来技術では、冷却水の実測温度が低下傾向を示している場合にサーモスタットの診断を禁止している。エンジンの暖機が完了すると、サーモスタットの動作によって冷却水はラジエータを循環してエンジンに供給され、冷却水の温度は種々の原因に基づいて変動する。従って、単に冷却水の実測温度の変動に基づいてサーモスタットを診断しようとすると、サーモスタットの異常以外の原因によって冷却水の温度が低下する場合に、サーモスタットの診断を的確に行うことができない。
【０００７】
本発明はこのような課題に鑑みてなされたものであり、その目的は、エンジンの暖機完了後においても、温度調整弁の診断を的確に行うことができる診断装置を提供することにある。
【課題を解決するための手段】
【０００８】
上記課題を解決するために、本発明に係る診断装置は、車両（１）のエンジン（２０）に供給する冷却水の温度を調整する温度調整弁（４５）の診断装置（１０）であって、前記エンジンから排出された冷却水である排出冷却水の温度を取得する水温取得部（１１）と、前記排出冷却水の温度と閾値とを比較して前記温度調整弁を診断する診断部（１４１）と、前記診断部による診断を保留する保留部（１５）と、前記エンジンの暖機完了後の冷却水の受熱量を算出する受熱量算出部（１８）と、前記エンジンの暖機完了後の冷却水の放熱量を算出する放熱量算出部（１９）と、を備える。前記保留部は、前記放熱量算出部によって算出された放熱量が前記受熱量算出部によって算出された受熱量よりも大きい場合に、前記温度調整弁が正常であっても前記車両の運転条件によって前記排出冷却水の温度が前記閾値よりも低くなると推定し、前記診断部による診断を保留する。
【０００９】
本発明に係る診断装置では、温度調整弁が正常であっても車両の運転条件によって排出冷却水の温度が閾値よりも低くなると推定される場合に、診断部による診断を保留する。したがって、診断部が、排出冷却水の温度と閾値とを比較して温度調整弁を診断する場合でも、温度調整弁の診断を的確に行うことが可能となる。
【発明の効果】
【００１０】
本発明によれば、エンジンの暖機完了後においても、温度調整弁の診断を的確に行うことができる診断装置を提供することができる。
【図面の簡単な説明】
【００１１】
【図１】実施形態に係るＥＣＵを搭載した車両を示す模式図である。
【図２】図１のＥＣＵを示す機能ブロック図である。
【図３】図１のエンジンの運転領域を説明する説明図である。
【図４】図１のＥＣＵによるサーモスタットの診断の許可又は保留の決定ロジックを示す説明図である。
【図５】図１のエンジンの運転状態の変化と、サーモスタットの診断の許可又は保留を示すタイムチャートである。
【図６】図１のＥＣＵが実行する処理を示すフローチャートである。
【図７】保留解除促進制御の実行に伴う冷却水の温度変化を示すタイムチャートである。
【発明を実施するための形態】
【００１２】
以下、添付図面を参照しながら実施形態について説明する。説明の理解を容易にするため、各図面において同一の構成要素に対しては可能な限り同一の符号を付して、重複する説明は省略する。
【００１３】
まず、図１を参照しながら、実施形態に係るＥＣＵ１０と、ＥＣＵ１０を搭載した車両１について説明する。車両１は、動力源としてエンジン２０及び走行用モータ３０を搭載する所謂ハイブリッド自動車である。
【００１４】
エンジン２０は、例えばガソリンを燃料とする内燃機関であり、シリンダヘッド２１と、シリンダブロック２２と、を有している。エンジン２０は、複数の気筒（不図示）を有しており、各気筒が吸気行程、圧縮行程、燃焼行程、排気行程の各行程を繰り返し行うことによってトルクを発生させる。当該トルクは、エンジン２０が有するクランク軸（不図示）を介して出力され、車両１の走行に用いられる。
【００１５】
走行用モータ３０は、電力の供給を受けてトルクを発生させる電動モータである。走行用モータ３０は、例えば三相交流モータが用いられ、ＥＣＵ１０から供給される電気信号に基づいてトルクを発生させる。走行用モータ３０は、単独で発生させるトルクによって車両１の車軸（不図示）を回転させて車両１を走行させたり、エンジン２０を補助するようにトルクを発生させて車両１を走行させたりすることができる。
【００１６】
この他にも、車両１は、冷却装置４０と、暖房装置６０と、を搭載している。
【００１７】
冷却装置４０は、燃焼行程において多量の燃焼熱を発生させるエンジン２０を冷却し、適温に維持する装置である。冷却装置４０は、ウォータポンプ４１と、エンジン冷却流路４２と、循環流路４３と、バイパス流路４４と、ラジエータ４６と、を有している。
【００１８】
ウォータポンプ４１は、冷却水を圧送する流体機械である。当該冷却水は、不凍液であるＬＬＣを含有している。ウォータポンプ４１は、エンジン２０の出力の一部を、クランク軸を介して受けることで回転駆動する。ウォータポンプ４１の回転駆動により、ウォータポンプ４１の上流側から供給される冷却水は加圧されて下流側に送給される。
【００１９】
エンジン冷却流路４２は、エンジン２０の内部に形成された冷却水の流路である。例えば、シリンダブロック２２の内部には、各気筒の周囲を包み込むようにエンジン冷却流路４２が形成されている。
【００２０】
循環流路４３は、配管の内部に形成された冷却水の流路である。当該配管は、その一端がエンジン冷却流路４２の下流端に接続され、他端がウォータポンプ４１に接続されている。これにより、循環流路４３は、エンジン冷却流路４２とともにエンジン２０に冷却水を循環させる流路となっている。循環流路４３は、エンジン冷却流路４２の下流端から後述するラジエータ４６まで延びる第１循環流路４３１と、ラジエータ４６からウォータポンプ４１まで延びる第２循環流路４３２と、からなる。
【００２１】
バイパス流路４４は、配管の内部に形成された冷却水の流路である。当該配管は、第１循環流路４３１を形成する配管の途中にその一端が接続され、第２循環流路４３２を形成する配管の途中にその他端が接続されている。これにより、バイパス流路４４は、第１循環流路４３１から分岐するとともに、ラジエータ４６を迂回して第２循環流路４３２の途中に合流する流路となっている。
【００２２】
ラジエータ４６は、循環流路４３に設けられた熱交換器である。ラジエータ４６は、内部に冷却水を流す金属製のチューブ（不図示）と、金属板を折り曲げることで形成されたコルゲートフィン（不図示）とを交互に積層することで形成されている。ラジエータ４６には、隣接するラジエータファン４７から空気が送り込まれる。この空気は、隣り合うチューブ間を流れてラジエータ４６を通過し、当該チューブの内部を流れる冷却水と熱交換を行う。これにより、ラジエータ４６を流れる冷却水が冷却され、その温度が低下する。
【００２３】
暖房装置６０は、車両１の車室内の暖房を行う装置である。暖房装置６０は、ヒータコア６１と、暖房ブロア６２と、を有している。
【００２４】
ヒータコア６１はバイパス流路４４の途中に設けられた熱交換器である。ヒータコア６１は、内部に冷却水を流す金属製のチューブ（不図示）と、金属板を折り曲げることで形成されたコルゲートフィン（不図示）と、交互に積層することで形成されている。ヒータコア６１には、隣接する暖房ブロア６２によって車室内又は車外から取り込んだ空気が送り込まれる。この空気は、隣り合うチューブ間を流れてヒータコア６１を通過し、当該チューブの内部を流れる冷却水と熱交換を行う。これにより、チューブ間を流れる空気が加熱され、その温度が上昇する。
【００２５】
また、循環流路４３を形成する配管からバイパス流路４４を形成する配管が分岐する部分には、サーモスタット４５が配置されている。サーモスタット４５は弁体（不図示）を有しており、当該弁体がその近傍の冷却水の温度に感応して移動するように構成されている。サーモスタット４５は、当該弁体の移動によって閉状態と開状態とに切り替えられるように構成されている。そして、サーモスタット４５は、冷却水の温度に基づいて、ラジエータ４６を介してエンジン２０に供給される冷却水の流量と、バイパス流路４４を介してエンジン２０に供給される冷却水の流量との比を調整する。
【００２６】
引き続き図１を参照しながら、以上のように構成された冷却装置４０及び暖房装置６０の動作について説明する。
【００２７】
燃料の供給を受けてエンジン２０が始動すると、燃焼行程において発生する多量の燃焼熱によってエンジン２０の温度が徐々に上昇する。ウォータポンプ４１は、クランク軸を介して出力を受け、回転駆動する。これにより、第２循環流路４３２の冷却水が加圧され、エンジン２０のエンジン冷却流路４２に送給される。
【００２８】
冷却水は、エンジン冷却流路４２を流れる間に、シリンダヘッド２１やシリンダブロック２２と熱交換を行う。これにより、シリンダヘッド２１やシリンダブロック２２は熱を奪われて冷却される一方で、冷却水は受熱して温度が上昇する。
【００２９】
エンジン２０が始動して間もない状態では、エンジン２０の温度は比較的低いため、エンジン冷却流路４２から排出されて第１循環流路４３１を流れる冷却水（排出冷却水）の温度も比較的低いものとなる。この場合、サーモスタット４５の弁体は、第１循環流路４３１の下流側を閉塞するとともに、バイパス流路４４側を開放する位置に配置される。
【００３０】
これにより、エンジン２０から排出された冷却水は、ラジエータ４６に供給されることなくバイパス流路４４を流れ、第２循環流路４３２に供給される。すなわち、エンジン２０の温度が比較的低い状態では、冷却水はラジエータ４６を迂回しながら循環する。この場合、冷却水はラジエータ４６によって冷却されないため、エンジン冷却流路４２に供給されてもエンジン２０を過度に冷却することがない。したがって、エンジン２０の始動時における暖機が冷却水によって阻害されることはない。
【００３１】
一方、エンジン２０の温度が適温以上となった状態では、エンジン冷却流路４２から排出される冷却水の温度も比較的高いものとなる。この場合、サーモスタット４５の弁体は、第１循環流路４３１の下流側及びバイパス流路４４の双方を開放する位置に配置される。
【００３２】
これにより、エンジン２０から排出された冷却水は、その一部がラジエータ４６に供給され、残部がバイパス流路４４を流れて第２循環流路４３２に供給される。すなわち、エンジン２０が適温以上となった状態では、ラジエータ４６に供給された冷却水は冷却されるとともに、残部の冷却水はラジエータ４６を迂回して流れる。これらの冷却水は、第２循環流路４３２において合流し、ウォータポンプ４１によって加圧されて再びエンジン冷却流路４２に送給される。
【００３３】
前述したように、バイパス流路４４を流れる冷却水は、ヒータコア６１を通過する際に空気と熱交換する。この熱交換によって加熱されて温度上昇した空気は、ダクト（不図示）によって車両１の車室内に導かれ、車室内の暖房に用いられる。
【００３４】
続いて、図２を参照しながら、ＥＣＵ（Electronic Control Unit：電子制御装置）１０について説明する。ＥＣＵ１０は、その一部又は全部が、アナログ回路で構成されるか、デジタルプロセッサとして構成される。いずれにしても、受信した信号に基づいて制御信号を出力する機能を果たすため、ＥＣＵ１０には機能的な制御ブロックが構成される。
【００３５】
図２は、ＥＣＵ１０を機能的な制御ブロック図として示している。尚、ＥＣＵ１０を構成するアナログ回路又はデジタルプロセッサに組み込まれるソフトウェアのモジュールは、必ずしも図２に示される制御ブロックのように分割されている必要はない。すなわち、実際のアナログ回路やモジュールは、図２に示される複数の制御ブロックの働きをするものとして構成されていても構わず、更に細分化されていても構わない。後述する処理を実行できるように構成されていれば、ＥＣＵ１０の内部の実際の構成は当業者が適宜変更できるものである。
【００３６】
ＥＣＵ１０は、水温センサ５１、外気温センサ５２、クランク角センサ５３及び空燃比センサ５４の各センサと電気的に接続されている。水温センサ５１は、第１循環流路４３１に配置され（図１参照）、エンジン２０から排出された冷却水の温度に対応する信号を生成して送信するセンサである。外気温センサ５２は、車両１のうち外気に触れる部位に配置され（図１参照）、外気温に対応する信号を生成して送信するセンサである。クランク角センサ５３は、エンジン２０のクランク軸の角度に対応する信号を生成して送信するセンサである。空燃比センサ５４は、エンジン２０の各気筒から排出された燃焼ガスの酸素濃度に対応する信号を生成して送信するセンサである。
【００３７】
ＥＣＵ１０は、エンジン２０、走行用モータ３０、暖房ブロア６２、ラジエータファン４７及び報知装置７０の各車載機器とも電気的に接続されている。報知装置７０は、車両１の乗員に対して種々の報知を行うための装置であり、表示パネルやブザー等、公知の機器によって構成される。ＥＣＵ１０は、制御信号を送信して、各車載機器の駆動を制御する。
【００３８】
尚、本願において「電気的に接続」とは、信号線によって互いに接続された形態に限定されるものではなく、無線で互いに通信可能とされた形態をもその意味に含みうるものとする。
【００３９】
ＥＣＵ１０は、演算部１１、記憶部１２、カウンタ部１３、診断部１４１、副診断部１４２、保留部１５、保留解除部１６、保留解除促進部１７、受熱量算出部１８及び放熱量算出部１９を有している。
【００４０】
演算部１１は、各車載機器の制御に必要となる種々の演算を行う部分である。具体的には、演算部１１は、運転者によるアクセル（不図示）の踏み込みに応じて、エンジン２０や走行用モータ３０にトルクを発生させるための演算を行う。また、演算部１１は、水温センサ５１から受信する信号に基づいて所定の演算を行い、冷却水の温度を取得する。また、演算部１１は、外気温センサ５２から受信する信号に基づいて所定の演算を行い、外気温を取得する。また、演算部１１は、クランク角センサ５３から受信する信号に基づいて所定の演算を行い、エンジン２０の回転数を取得する。さらに、演算部１１は、空燃比センサ５４から受信する信号に基づいて所定の演算を行い、エンジン２０の気筒内における空燃比や、気筒内に供給される空気の流量等を算出する。
【００４１】
記憶部１２は、種々の情報を記憶する部分であり、例えば不揮発性メモリによって構成される。記憶部１２にはマップ等の情報が予め記憶されており、当該情報は演算部１１によって読み出されて演算に用いられる。また、記憶部１２は、演算部１１の演算結果を記憶することができる。
【００４２】
カウンタ部１３は、種々のカウントを行う部分である。例えば、カウンタ部１３は、複数に区分されたエンジン２０の運転領域のうち、エンジン２０が特定の運転領域で運転した時間長等のカウントを行う。
【００４３】
診断部１４１は、サーモスタット４５の診断を行う部分である。具体的には、診断部１４１は、サーモスタット４５の弁体が正常に移動できず、前述した閉状態と開状態とを切り替えられない異常があるか否かの診断を行う。
【００４４】
副診断部１４２は、診断部１４１による診断が保留されている場合に、サーモスタット４５の診断を行う部分である。後述するように、副診断部１４２は、冷却水の温度に基づいて、サーモスタット４５に異常があるか否かの診断を行う。
【００４５】
保留部１５は、診断部１４１による診断を保留する部分である。後述するように、保留部１５は、誤診断を生じるおそれがある場合は、診断部１４１によるサーモスタット４５の診断を保留する。
【００４６】
保留解除部１６は、保留部１５が診断部１４１による診断を保留している場合に、当該保留を解除させる部分である。具体的には、保留解除部１６は、冷却水の温度が上昇したことに基づいて、誤診断を生じるおそれが解消したと判断して、保留部１５による保留を解除させる。
【００４７】
保留解除促進部１７は、保留解除部１６による保留の解除を促進するように、エンジン２０や走行用モータ３０等の車載機器を制御する部分である。具体的には、保留解除促進部１７は、冷却水が外部から受ける熱の量（受熱量）の増加、及び、冷却水が外部に放出する熱の量（放熱量）の減少の少なくとも一方がなされるように車載機器を制御する保留解除促進制御を実行する。
【００４８】
受熱量算出部１８は、冷却水の受熱量を算出する部分である。後述するように、受熱量算出部１８は、エンジン２０の回転数等に基づいて受熱量を算出する。
【００４９】
放熱量算出部１９は、冷却水の放熱量を算出する部分である。後述するように、放熱量算出部１９は、外気温等に基づいて放熱量を算出する。
【００５０】
続いて、図３を参照しながら、エンジン２０の運転領域と冷却水の受熱量との関係について説明する。
【００５１】
図３は、エンジン２０の回転数が横軸にプロットされ、エンジン２０が取り込む空気の量が縦軸にプロットされた受熱量Ｑｒｃマップを図示している。当該受熱量Ｑｒｃマップは、ＥＣＵ１０の記憶部１２に記憶されている。エンジン２０が各回転数において取り込む空気量は、実線ＷＯＴ（Wide Open throttle：スロットル弁の全開状態）で示される値が上限となる。
【００５２】
エンジン２０が、実線Ｑｒｃ１，Ｑｒｃ２，Ｑｒｃ０，Ｑｒｃ３に沿って運転する場合、冷却水の受熱量ＱｒｃはそれぞれＱｒｃ１，Ｑｒｃ２，Ｑｒｃ０，Ｑｒｃ３となる。受熱量Ｑｒｃ１，Ｑｒｃ２，Ｑｒｃ０，Ｑｒｃ３は、この順序で小さくなる値である。すなわち、図３に示されるマップでは、エンジン２０が運転している領域が右上にあるほど、冷却水の受熱量Ｑｒｃは大きな値となる。また、図３に示されるマップは、エンジン２０が取り込む空気量に代えて、エンジン２０が発生させるトルクをその縦軸にプロットすることでも、同様のものを作成することができる。
【００５３】
ここで、冷却水の受熱量ＱｒｃがＱｒｃ０よりも大きな値となるＡ領域（受熱量Ｑｒｃ１，Ｑｒｃ２が属する領域）でエンジン２０が運転している場合、冷却水の受熱量Ｑｒｃは放熱量Ｑｒｄよりも大きくなる。この場合、その熱収支に基づいて、冷却水の温度が上昇する傾向がある。
【００５４】
これに対し、冷却水の受熱量ＱｒｃがＱｒｃ０よりも小さな値となるＢ領域（受熱量Ｑｒｃ３が属する領域）でエンジン２０が運転している場合、冷却水の受熱量Ｑｒｃは放熱量Ｑｒｄよりも小さくなる。この場合、その熱収支に基づいて、冷却水の温度が低下する傾向がある。すなわち、受熱量Ｑｒｃ０は、それを境として冷却水の温度が上昇又は低下に転じる閾値となる。
【００５５】
エンジン２０がＢ領域で運転しており、エンジン２０から排出される冷却水の温度が低下している状態では、それがサーモスタット４５の異常によるものか、又は、それ以外の原因によるものかの判別が困難となる。したがって、このような状態でサーモスタット４５の診断を行うと、その診断結果が誤ったものとなる懸念が高まる。エンジン２０がＢ領域で運転している頻度が高い場合は、サーモスタット４５の診断を保留することが好ましい。
【００５６】
続いて、図４及び図５を参照しながら、サーモスタット４５の診断の許可と保留の決定について説明する。
【００５７】
ＥＣＵ１０の受熱量算出部１８（図２参照）は、図４に示されるように、エンジン２０の回転数とエンジン２０が取り込むと空気量とを、記憶部１２に記憶された受熱量Ｑｒｃマップと照合する。これにより、そのエンジン２０の運転状態における冷却水の受熱量Ｑｒｃが得られる。
【００５８】
また、ＥＣＵ１０の放熱量算出部１９（図２参照）は、エンジン２０の回転数を熱通過率ｈマップと照合する。熱通過率ｈは、冷却水から外気に伝達される熱を算出する際に用いられる定数である。熱通過率ｈは、循環流路４３やバイパス流路４４を形成する配管の材料特性や形状を考慮して予め実験的に同定されており、冷却水の流速と相関を有するものである。本実施形態では、冷却水を圧送するウォータポンプ４１は、エンジン２０の出力を受けて回転駆動するものであるから、冷却水の流速はエンジン２０の回転数と相関を有する。したがって、ここでの熱通過率ｈマップは、エンジン２０の回転数と、当該回転数における熱通過率ｈとを対応させたものとなっている。エンジン２０の回転数を熱通過率ｈマップと照合することにより、熱通過率ｈが得られる。
【００５９】
さらに、放熱量算出部１９は、外気温と冷却水の温度との差分である温度差ΔＴを算出する。そして、放熱量算出部１９は、この温度差ΔＴと熱通過率ｈとを乗じることによって、冷却水の放熱量Ｑｒｄを得る。
【００６０】
ＥＣＵ１０は、以上のようにして得た冷却水の受熱量Ｑｒｃと、放熱量Ｑｒｄとの比較を行う。放熱量Ｑｒｄが受熱量Ｑｒｃよりも大きい場合、エンジン２０は図３に示されるＢ領域で運転していることとなり、冷却水の温度が低下する傾向がある。
【００６１】
そして、ＥＣＵ１０は、エンジン２０が運転している所定期間において、放熱量Ｑｒｄが受熱量Ｑｒｃよりも大きい状態になった時間Ｔｒｄを算出するとともに、当該所定期間の時間長に対する時間Ｔｒｄの比率を算出する。ＥＣＵ１０は、この比率が５０％以上か否かを判断する。この比率が５０％以上を超えている場合、エンジン２０が頻繁にＢ領域で運転しており、サーモスタット４５の診断結果が誤ったものとなる懸念が大きいことから、ＥＣＵ１０の保留部１５は、診断部１４１による診断を保留する。一方、所定期間の時間長に対する時間Ｔｒｄの比率が５０％に満たない場合、サーモスタット４５の診断結果が誤ったものとなる懸念は小さいことから、ＥＣＵ１０の保留部１５は、診断部１４１による診断を保留しない（診断を許可する）。
【００６２】
図５には、サーモスタット４５の診断の許可と保留との変化が、時間の変化とともに図示されている。図５に示されるように、時刻ｔ０から時刻ｔ１の間は、ＥＣＵ１０はエンジン２０を運転させてトルクＴ１を発生させている。また、ＥＣＵ１０のカウンタ部１３（図２参照）は、時刻ｔ０からのエンジン２０の運転時間をカウントする。時刻ｔ０から時刻ｔ１の間は、エンジン２０が図３に示されるＢ領域で運転することがないため、エンジン２０が運転している時間長（全体）に対する時間Ｔｒｄ（Ｂ領域）の比率は５０％に満たない。この場合、ＥＣＵ１０の保留部１５は、診断部１４１による診断を保留しない（診断を許可する）。
【００６３】
時刻ｔ１で、車両１が、走行用モータ３０が発生させるトルクのみによって走行するモードに移行すると、ＥＣＵ１はエンジン２０の運転を停止させる。このため、エンジン２０が発生させるトルクは時刻ｔ１でゼロとなる。エンジン２０において新たな燃焼熱が発生しなくなることで、冷却水の受熱量が減少し、エンジン２０がＢ領域で運転する頻度が徐々に高まる。ＥＣＵ１０のカウンタ部１３は、エンジン２０がＢ領域で運転している時間Ｔｒｄのカウントを開始する。
【００６４】
時刻ｔ２で、エンジン２０が運転している全体の時間長に対する時間Ｔｒｄの比率が５０％に達すると、ＥＣＵ１０の保留部１５は、診断部１４１による診断を保留する。これにより、誤診断が生じる懸念が高い状況でのサーモスタット４５の診断が保留される。すなわち、時刻ｔ２以降のエンジン２０の運転条件は、時刻ｔ２までのエンジン２０の運転条件よりも冷却水の温度が低下するものになっている。
【００６５】
続いて、図６及び図７を参照しながら、ＥＣＵ１０が実行する処理の流れについて説明する。図６は、エンジン２０の暖機完了後に、ＥＣＵ１０が実行する処理を示したフローチャートである。尚、以下では簡便のため、詳細にはＥＣＵ１０の演算部１１等が実行している処理も、総括してＥＣＵ１０が実行するものとして説明する。
【００６６】
まず、ＥＣＵ１０は、ステップＳ１で、冷却水の温度Ｔｗが、予め定められた閾値よりも低いか否かを判定する。冷却水の温度Ｔｗが当該閾値よりも低くないと判定した場合（Ｓ１：Ｎｏ）、ＥＣＵ１０はステップＳ９の処理に進み、サーモスタット４５の診断の保留は不要と判断する（診断を許可する）。一方、ステップＳ１で、冷却水の温度Ｔｗが、予め定められた閾値よりも低いと判定した場合（Ｓ１：Ｙｅｓ）、ＥＣＵ１０はステップＳ２の処理に進む。
【００６７】
次に、ＥＣＵ１０は、ステップＳ２で、エンジン２０が図３に示されるＢ領域で運転している比率が５０％以上か否かを判定する。当該比率が５０％以上であると判定した場合、ＥＣＵ１０はステップＳ３の処理に進む。
【００６８】
次に、ＥＣＵ１０は、ステップＳ３で、サーモスタット４５の診断を保留する。すなわち、前述したステップＳ２で、エンジン２０が頻繁にＢ領域で運転しており、当該診断の結果が誤ったものとなる懸念が大きいと判定されたことから、ＥＣＵ１０は当該診断を保留する。
【００６９】
次に、ＥＣＵ１０は、ステップＳ４で、保留解除促進制御を実行する。前述したように、この保留解除促進制御では、冷却水の受熱量の増加、及び、冷却水の放熱量の減少の少なくとも一方がなされるように車載機器が制御される。本実施形態では、ＥＣＵ１０は、暖房装置６０の暖房ブロア６２の駆動を停止する。これにより、冷却水がヒータコア６１において空気によって奪われる熱量が減少するため、冷却水の放熱量が減少する。
【００７０】
このように保留解除促進制御を実行した場合の冷却水の温度Ｔｗの例を図７に示す。図７では、サーモスタット４５に異常がある場合の冷却水の温度Ｔｗとその時間微分値が実線で示され、サーモスタット４５が正常である場合の冷却水の温度Ｔｗとその時間微分値が破線で示されている。
【００７１】
サーモスタット４５の診断を保留した直後の冷却水の温度ＴｗがＴｗ１であった場合に、ＥＣＵ１０が、時刻ｔ３から時刻ｔ４にかけて、前述した保留解除促進制御を実行したものとする。この場合、冷却水の放熱量が減少するため、サーモスタット４５が正常であれば、冷却水の温度Ｔｗは上昇傾向を示す。一方、サーモスタット４５に異常がある場合は、前述した保留解除促進制御が実行されても、水温センサ５１が配置された部位における冷却水の温度Ｔｗは影響を受けない。
【００７２】
ここでは、ＥＣＵ１０は、保留解除促進制御をした結果、冷却水の温度Ｔｗが閾値Ｔｗ０以上となれば、冷却水の温度Ｔｗが正常に変化したと判定する。また、冷却水の温度Ｔｗの時間微分値が閾値Ａ０以上となったことをもって、冷却水の温度Ｔｗが正常に変化したと判定してもよい。
【００７３】
再び図６を参照しながら説明する。ＥＣＵ１０は、次のステップＳ５で、保留解除促進制御を実行した結果、冷却水温度が正常に変化したか否かを判定する。図７に破線で示されるように、保留解除促進制御を実行したことで冷却水の温度Ｔｗが上昇傾向を示した場合（Ｓ５：Ｙｅｓ）、ＥＣＵ１０は、ステップＳ８に進み、サーモスタット４５の診断の保留を解除し、当該診断を再開する。一方、保留解除促進制御を実行したにもかかわらず、図７に実線で示されるように冷却水の温度Ｔｗが上昇傾向を示さなかった場合（Ｓ５：Ｎｏ）、ＥＣＵ１０は、ステップＳ６の処理に進む。
【００７４】
次に、ＥＣＵ１０は、ステップＳ６で、サーモスタット４５に異常があると診断する。ＥＣＵ１０は、この診断に基づき、次のステップＳ７で報知装置７０を動作させ、車両１のユーザに点検等を促すことができる。
【００７５】
これに対し、ステップＳ２で、エンジン２０がＢ領域で運転している比率が５０％以上ではないと判定した場合（Ｓ２：Ｎｏ）、ＥＣＵ１０は、ステップＳ６，Ｓ７の処理に進む。すなわち、冷却水の温度Ｔｗが閾値よりも低いにもかかわらず、それが、エンジン２０が頻繁にＢ領域で運転していることが原因ではない場合も、サーモスタット４５に異常があると判断できる。したがってこの場合も、ＥＣＵ１０は、報知装置７０を動作させ、車両１のユーザに点検等を促す。
【００７６】
以上のように、本実施形態に係るＥＣＵ１０では、サーモスタット４５が正常であっても車両１の運転条件によって排出冷却水の温度が閾値よりも低くなると推定される場合に、診断部１４１による診断を保留する。したがって、ＥＣＵ１０によれば、エンジン２０の暖機完了後にサーモスタット４５の異常以外の原因で排出冷却水の温度が低下する運転条件で車両１が運転している場合は、診断部１４１による診断を保留し、サーモスタット４５の診断を的確に行うことが可能となる。
【００７７】
また、ＥＣＵ１０は、エンジン２０の暖機完了後の冷却水の受熱量Ｑｒｃを算出する受熱量算出部１８と、エンジン２０の暖機完了後の冷却水の放熱量Ｑｒｄを算出する放熱量算出部１９と、を備える。保留部１５は、放熱量算出部１９によって算出された放熱量Ｑｒｄが受熱量算出部１８によって算出された受熱量Ｑｒｃよりも大きい場合に、診断部１４１による診断を保留する。
【００７８】
この構成によれば、放熱量Ｑｒｄが受熱量Ｑｒｃよりも大きいことに基づいて、サーモスタット４５が正常であっても排出冷却水の温度が低下することを推定することが可能となる。したがって、放熱量Ｑｒｄが受熱量Ｑｒｃよりも大きい場合は診断部１４１による診断を保留することで、サーモスタット４５の診断を的確に行うことが可能となる。
【００７９】
また、受熱量算出部１８は、エンジン２０の暖機完了後の予め定められた所定期間における冷却水の受熱量Ｑｒｃを算出し、放熱量算出部１９は、所定期間における冷却水の受熱量Ｑｒｃを算出する。
【００８０】
この構成によれば、当該予め定められた所定期間における冷却水の受熱量Ｑｒｃと受熱量Ｑｒｃとを算出するように設定することで、ＥＣＵ１０の処理負荷を軽減しながらも、サーモスタット４５が正常であっても排出冷却水の温度が低下することを推定することが可能となる。
【００８１】
また、保留部１５は、所定期間の時間長に対する、該所定期間において放熱量算出部１９によって算出された放熱量Ｑｒｄが受熱量算出部１８によって算出された受熱量Ｑｒｃよりも大きい状態である時間Ｔｒｄの比率が、５０％よりも大きい場合に、診断部１４１による診断を保留する。
【００８２】
この構成によれば、所定期間の時間長に対する、放熱量Ｑｒｄが受熱量Ｑｒｃよりも大きい状態である時間Ｔｒｄの比率が５０％よりも大きいことに基づいて、サーモスタット４５が正常であっても排出冷却水の温度が低下することを推定することが可能となる。したがって、当該比率が５０％よりも大きい場合は診断部１４１による診断を保留することで、サーモスタット４５の診断を的確に行うことができる。
【００８３】
また、ＥＣＵ１０は、排出冷却水の温度が上昇したことに基づいて保留部１５による保留を解除させる保留解除部１６を備える。
【００８４】
この構成によれば、排出冷却水の温度が、誤った診断が行われる懸念が小さい水準まで上昇した場合に診断部１４１の診断の保留を解除し、サーモスタット４５の診断を再開することが可能になる。
【００８５】
また、ＥＣＵ１０は、診断部１４１による診断が保留されている場合に、冷却水の受熱量Ｑｒｃの増加、及び、冷却水の放熱量Ｑｒｄの減少の少なくとも一方を行う保留解除促進制御を実行する保留解除促進部１７を備える。
【００８６】
この構成によれば、排出冷却水の温度を積極的に上昇させ、診断部１４１によるサーモスタット４５の診断を迅速に再開することが可能になる。
【００８７】
また、ＥＣＵ１０は、診断部１４１による診断が保留されている場合にサーモスタット４５の診断を行う副診断部１４２を備える。副診断部１４２は、保留解除促進部１７が保留解除促進制御を実行しても排出冷却水の温度が上昇しない場合に、サーモスタット４５に異常があると診断する。
【００８８】
この構成によれば、保留解除促進制御を実行してサーモスタット４５の診断を再開しようとしながらも、その際の排出冷却水の温度変化に基づいて、サーモスタット４５の異常の有無を診断することができる。
【００８９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。
【００９０】
例えば、上記実施形態では、保留解除促進部１７は、保留解除促進制御として暖房装置６０の暖房ブロア６２の駆動を停止しているが、本発明はこれに限定されるものではない。すなわち、保留解除促進部１７は、保留解除促進制御として、車両１の停車中に、エンジン２０への燃料の供給を停止するアイドルストップ運転を禁止することによって、冷却水の受熱量Ｑｒｃを増加させてもよい。
【００９１】
このようなアイドルストップ運転は、車両１の燃費向上策の一つとして広く普及している。アイドルストップ運転中はエンジン２０において新たな燃焼熱が発生しないため、冷却水の受熱量Ｑｒｃが減少する。
【００９２】
これに対し、保留解除促進制御としてアイドルストップ運転を禁止することで、車両１の停車中もエンジン２０への燃料の供給が行われるため、新たな燃焼熱を発生させて冷却水の受熱量Ｑｒｃを増加させることができる。この結果、排出冷却水の温度を上昇させ、診断部１４１によるサーモスタット４５の診断を迅速に再開することが可能となる。
【００９３】
また、保留解除促進部１７は、保留解除促進制御として、車両１の停車中にエンジン２０の回転数を上昇させることによって、冷却水の受熱量Ｑｒｃを増加させてもよい。
【００９４】
車両１の停車中にエンジン２０の回転数を上昇させるためには、エンジン２０に供給する燃料を増加させる必要がある。エンジン２０に多量の燃料が供給されることで、より大きな燃焼熱を発生させて冷却水の受熱量Ｑｒｃを増加させることができる。この結果、排出冷却水の温度を上昇させ、診断部１４１によるサーモスタット４５の診断を迅速に再開することが可能となる。
【００９５】
また、保留解除促進部１７は、車両１の走行中にエンジン２０への燃料供給を停止する燃料カット運転を抑制することによって、冷却水の受熱量Ｑｒｃを増加させてもよい。
【００９６】
車両１の走行中に、エンジン２０への燃料供給を停止する燃料カット運転も、車両１の燃費向上策の一つとして広く普及している。この燃料カット運転中は、エンジン２０において新たな燃焼熱が発生しないため、冷却水の受熱量Ｑｒｃが減少する。
【００９７】
これに対し、保留解除促進部１７が保留解除促進制御として燃料カット運転を抑制することで、エンジン２０への燃料の供給が行われるため、新たな燃焼熱を発生させて冷却水の受熱量Ｑｒｃを増加させることができる。この結果、排出冷却水の温度を上昇させ、診断部１４１によるサーモスタット４５の診断を迅速に再開することが可能となる。
【００９８】
また、保留解除促進部１７は、車両１の走行中に走行用のトルクを発生させてエンジン２０を補助する走行用モータ３０の駆動を抑制することによって、冷却水の受熱量を増加させてもよい。
【００９９】
エンジン２０及び走行用モータ３０が発生させたトルクによって車両１が走行している状態では、エンジン２０が発生させたトルクのみによって車両１が走行している状態に比べて、エンジン２０に供給する必要がある燃料は少なくなる。このため、エンジン２０において発生する燃焼熱も小さくなり、冷却水の受熱量Ｑｒｃが減少する。
【０１００】
これに対し、保留解除促進部１７が保留解除促進制御として走行用モータ３０の駆動を抑制することで、エンジン２０に供給される燃料の量が増加するため、大きな燃焼熱を発生させて冷却水の受熱量Ｑｒｃを増加させることができる。この結果、排出冷却水の温度を上昇させ、診断部１４１によるサーモスタット４５の診断を迅速に再開することが可能となる。
【０１０１】
また、保留解除促進部１７は、エンジン２０における燃料の点火時期を遅角させることによって、冷却水の受熱量Ｑｒｃを増加させてもよい。
【０１０２】
保留解除促進部１７が保留解除促進制御としてエンジン２０における燃料の点火時期を遅角させることで、エンジン２０において運動エネルギへの変換効率を低下させるとともに、熱エネルギを増加させることが可能となる。この結果、排出冷却水の温度を上昇させ、診断部１４１によるサーモスタット４５の診断を迅速に再開することが可能となる。
【符号の説明】
【０１０３】
１：車両
１０：ＥＣＵ（診断装置）
１１：演算部（水温度取得部）
１４１：診断部
１４２：副診断部
１５：保留部
１６：保留解除部
１７：保留解除促進部
１８：受熱量算出部
１９：放熱量算出部
２０：エンジン
３０：走行用モータ（電動モータ）
４３：循環流路
４４：バイパス流路
４５：サーモスタット（温度調整弁）
４６：ラジエータ
６０：暖房装置
【図１】
0006443254.tif 000002
【図２】
0006443254.tif 000003
【図３】
0006443254.tif 000004
【図４】
0006443254.tif 000005
【図５】
0006443254.tif 000006
【図６】
0006443254.tif 000007
【図７】
0006443254.tif 000008